(57)【要約】【課題】分草部材の回動支点軸およびその近傍の部位への穀稈の絡み付きを少なくし、穀稈を円滑に分草できるものとする。【解決手段】刈取装置（４）に備えた分草フレーム（１０）の前部に穀稈を分草する分草部材（１１）を設け、刈取装置（４）の左右一側部に備えた分草フレーム（１０）を、走行車体（１）の前後方向に沿う第１フレーム（１０ｒ）と、分草部材（１１）を設けた第２フレーム（１０ｆ）から構成し、第２フレーム（１０ｆ）の後端部を、第１フレーム（１０ｒ）の前端部に対して回動支点軸（１７）回りに左右回動自在に支持し、第２フレーム（１０ｆ）に、前記分草部材（１１）で分草された穀稈を前記回動支点軸（１７）の外側方へ案内する穀稈案内部材（２１）を一体に取り付ける。【選択図】図９
2016140250.tif 000002
【特許請求の範囲】
【請求項１】
走行車体（１）上に脱穀装置（３）を設け、該脱穀装置（３）の前方に刈取装置（４）を設け、該刈取装置（４）に備えた分草フレーム（１０）の前部に穀稈を分草する分草部材（１１）を設けたコンバインにおいて、前記刈取装置（４）の左右一側部に備えた分草フレーム（１０）を、走行車体（１）の前後方向に沿う第１フレーム（１０ｒ）と、分草部材（１１）を設けた第２フレーム（１０ｆ）から構成し、該第２フレーム（１０ｆ）の後端部を、前記第１フレーム（１０ｒ）の前端部に対して回動支点軸（１７）回りに左右回動自在に支持し、該第２フレーム（１０ｆ）に、前記分草部材（１１）で分草された穀稈を前記回動支点軸（１７）の外側方へ案内する穀稈案内部材（２１）を一体に取り付けたことを特徴とするコンバイン。
【請求項２】
前記第２フレーム（１０ｆ）の前端部と後端部を、前記穀稈案内部材（２１）で連結した請求項１に記載のコンバイン。
【請求項３】
前記第２フレーム（１０ｆ）の左右回動角度を規制する回動規制手段（２４）を、前記回動支点軸（１７）の近傍の部位に備えた請求項２に記載のコンバイン。
【請求項４】
前記回動規制手段（２４）は、穀稈引起装置（１２）を支持する第１フレーム（１０ｒ）側の引起装置支持部材（２５）と、前記第２フレーム（１０ｆ）の後端部に固定されたプレート（１２３）から形成し、前記引起装置支持部材（２５）とプレート（１２３）の接触によって、前記第２フレーム（１０ｆ）の左右回動角度が規制される構成とした請求項３に記載のコンバイン。
【請求項５】
前記分草部材（１１）の上面から穀稈引起装置（１２）の上部前面にわたって、後上がりに傾斜する分草案内棒（２００）を備えた請求項１から請求項４のいずれか一項に記載のコンバイン。
【請求項６】
前記分草案内棒（２００）を、その長手方向の軸心を中心として回転自在に備えた請求項５に記載のコンバイン。
【請求項７】
前記分草部材（１１）が後上がりに傾斜して設けられ、該分草部材（１１）の前部上面から該分草部材（１１）の後部背面にわたる分草案内杆（２０７）が備えられた請求項１から請求項４のいずれか一項に記載のコンバイン。
【発明の詳細な説明】
【技術分野】
【０００１】
この発明は、コンバインに関する。
【背景技術】
【０００２】
特許文献１に示すように、従来、刈取装置の既刈地側に備えた分草部材を左右内外へ回動自在に設けることで、左右両側の分草部材の間隔を変更して、刈取装置へ導入する穀稈の条数を変更するように構成したコンバインが知られている。
【先行技術文献】
【特許文献】
【０００３】
【特許文献１】特開２００６−１５８３３２号公報
【発明の概要】
【発明が解決しようとする課題】
【０００４】
上述のように、刈取装置の既刈地側に備えた分草部材を左右回動自在に設けた場合、この回動部分に穀稈が絡み付き、この穀稈がちぎれる問題が発生しやすくなる。
【０００５】
また、上記特許文献１に記載されたコンバインでは、既刈地側の分草部材を支持する分草フレームの剛性が低くなり、分草部材の圃場面への突っ込みなどによって、この分草フレームが変形する虞があった。
【０００６】
本発明の課題は、分草部材を左右回動自在としながらも、この回動部分への穀稈の絡み付きを少なくすると共に、この分草部材の剛性を高めることにある。
【課題を解決するための手段】
【０００７】
本発明は、上記課題を解決すべく次のような技術的手段を講じた。
【０００８】
すなわち、請求項１に記載の発明は、走行車体（１）上に脱穀装置（３）を設け、該脱穀装置（３）の前方に刈取装置（４）を設け、該刈取装置（４）に備えた分草フレーム（１０）の前部に穀稈を分草する分草部材（１１）を設けたコンバインにおいて、前記刈取装置（４）の左右一側部に備えた分草フレーム（１０）を、走行車体（１）の前後方向に沿う第１フレーム（１０ｒ）と、分草部材（１１）を設けた第２フレーム（１０ｆ）から構成し、該第２フレーム（１０ｆ）の後端部を、前記第１フレーム（１０ｒ）の前端部に対して回動支点軸（１７）回りに左右回動自在に支持し、該第２フレーム（１０ｆ）に、前記分草部材（１１）で分草された穀稈を前記回動支点軸（１７）の外側方へ案内する穀稈案内部材（２１）を一体に取り付けたことを特徴とするコンバインである。
【０００９】
請求項２に記載の発明は、前記第２フレーム（１０ｆ）の前端部と後端部を、前記穀稈案内部材（２１）で連結した請求項１に記載のコンバインである。
【００１０】
請求項３に記載の発明は、前記第２フレーム（１０ｆ）の左右回動角度を規制する回動規制手段（２４）を、前記回動支点軸（１７）の近傍の部位に備えた請求項２に記載のコンバインである。
【００１１】
請求項４に記載の発明は、前記回動規制手段（２４）は、穀稈引起装置（１２）を支持する第１フレーム（１０ｒ）側の引起装置支持部材（２５）と、前記第２フレーム（１０ｆ）の後端部に固定されたプレート（１２３）から形成し、前記引起装置支持部材（２５）とプレート（１２３）の接触によって、前記第２フレーム（１０ｆ）の左右回動角度が規制される構成とした請求項３に記載のコンバインである。
【００１２】
請求項５に記載の発明は、前記分草部材（１１）の上面から穀稈引起装置（１２）の上部前面にわたって、後上がりに傾斜する分草案内棒（２００）を備えた請求項１から請求項４のいずれか一項に記載のコンバインである。
【００１３】
請求項６に記載の発明は、前記分草案内棒（２００）を、その長手方向の軸心を中心として回転自在に備えた請求項５に記載のコンバインである。
【００１４】
請求項７に記載の発明は、前記分草部材（１１）が後上がりに傾斜して設けられ、該分草部材（１１）の前部上面から該分草部材（１１）の後部背面にわたる分草案内杆（２０７）が備えられた請求項１から請求項４のいずれか一項に記載のコンバインである。
【発明の効果】
【００１５】
請求項１に記載の発明によれば、分草部材（１１）を設けた第２フレーム（１０ｆ）を左右回動させて穀稈の導入経路の幅を変更できるものでありながら、この導入経路の幅に入らなかった穀稈を穀稈案内部材（２１）によって回動支点軸（１７）の外側方へ案内するので、この回動支点軸（１７）およびその近傍の部位への穀稈の絡み付きが少なくなり、穀稈を円滑に分草することができる。
【００１６】
請求項２に記載の発明によれば、請求項１に記載の発明の効果に加えて、分草フレーム（１０）の前部を構成する第２フレーム（１０ｆ）の剛性が高まり、分草部材（１１）が圃場面に突っ込んでも、変形を少なくすることができる。また、穀稈案内部材（２１）の剛性も高まり、この穀稈案内部材（２１）自体の変形も少なくなり、穀稈案内作用を円滑に維持することができる。
【００１７】
請求項３に記載の発明によれば、上記請求項２に記載の発明の効果に加えて、第２フレーム（１０ｆ）の過度の左右回動を規制することで、分草部材（１１）の姿勢を刈取作業に適した範囲に維持し、分草部材（１１）による穀稈の押し倒しを防止することができる。
【００１８】
請求項４に記載の発明によれば、上記請求項３に記載の発明の効果に加えて、第２フレーム（１０ｆ）の左右回動角度を規制する回動規制手段（２４）を簡素に構成できる。
【００１９】
請求項５に記載の発明によれば、上記請求項１から請求項４のいずれか一項に記載の発明の効果に加えて、分草部材（１１）の上面から穀稈引起装置（１２）の上部前面にわたる分草案内棒（２００）によって、穀稈を分草して穀稈引起装置（１２）へ円滑に案内し、引き起こすことができる。
【００２０】
請求項６に記載の発明によれば、上記請求項５に記載の発明の効果に加えて、分草案内棒（２００）は、分草される穀稈との接触によって回転するので、分草時における穀稈の絡み付きや引きちぎりが減少する。
【００２１】
請求項７に記載の発明によれば、上記請求項１から請求項４のいずれか一項に記載の発明の効果に加えて、分草部材（１１）の前部上面から後部背面にわたる分草案内杆（２０７）を、穀稈の倒伏方向に応じて回動調節し、穀稈を穀稈引起装置（１２）へ円滑に案内し、引き起こすことができる。
【図面の簡単な説明】
【００２２】
【図１】コンバインの側面図
【図２】刈取装置の要部の側面図
【図３】刈取装置の要部の正面図
【図４】分草フレームの説明用切断正面図
【図５】分草フレーム部の側面図
【図６】分草フレーム部の平面図
【図７】操作レバーの側面図
【図８】分草フレーム部の側面図
【図９】分草フレーム部の平面図
【図１０】分草フレーム部の平面図
【図１１】回動支点軸部分を断面して示す説明図
【図１２】分草フロントフレームの平面図
【図１３】分草フロントフレームの側面図
【図１４】別実施例における刈取装置の要部の正面図
【図１５】図１４における分草フレーム部の側面図
【図１６】別実施例における刈取装置の要部の正面図
【図１７】図１６における分草フレーム部の側面図
【発明を実施するための形態】
【００２３】
図１に示すように、コンバインの走行車体１には、左右の走行クローラ２を備え、走行車体１の左側の部位に脱穀装置３を搭載し、脱穀装置３の前方に刈取装置４を設ける。刈取装置４と、脱穀装置３の右側に設けたグレンタンクＧの間には、運転席５と操作ボックス６を備えた運転操作部を設ける。
【００２４】
刈取装置４は、走行車体１に対して上下回動自在な刈取支持フレーム７の前部に支持し、刈取支持フレーム７と走行車体１の間には、刈取昇降シリンダ８を設ける。
【００２５】
刈取支持フレーム７の前端部には、左右方向に沿う横支持フレーム９の左右方向中間部を連結し、横支持フレーム９から機体前方に向けて、複数の分草フレーム１０を、左右方向に所定間隔をおいて延設する。
【００２６】
分草フレーム１０の前端部には、正面視で逆三角形状の分草部材１１を支持する。
【００２７】
この分草部材１１は、圃場の穀稈を左右に分草する左端の分草部材１１Ｌおよび右端の分草部材１１Ｒ（請求項における分草部材１１）と、これらの中間に配置される複数（実施例では３つ）の中分草部材１１ｃとから構成する。
【００２８】
刈取装置４は、分草部材１１と、分草後の穀稈を引き起す複数の穀稈引起装置１２（左端の穀稈引起装置１２Ｌ，中央の２連の穀稈引起装置１２Ｃ，右端の穀稈引起装置１２Ｒ）と、引起し中の穀稈を掻込む掻込ベルト１４および掻込スターホイル１５を有する掻込搬送装置と、掻込後の穀稈を刈り取る刈刃装置１３と、掻込搬送後の穀稈を脱穀装置３に供給する揚上搬送装置１６を備える。
【００２９】
また、左右外側端部の分草フレーム１０，１０の対地高さＨ１を、左右方向中間部の中分草フレーム１０の対地高さよりも高く設定（Ｈ１＞Ｈ２）して、分草時における穀稈の押し倒しを防ぐようにしている。
（分草部材の回動構造）
図４、図５、図８〜図１０に示すように、右端の分草部材１１Ｒが設けられた右端の分草フレーム１０は、回動支点軸１７より後側（刈刃装置１３側）の分草リヤフレーム（第１フレーム）１０ｒと、回動支点軸１７より前側(分草部材１１Ｒ側)の分草フロントフレーム（第２フレーム）１０ｆから構成する。
【００３０】
即ち、分草フロントフレーム１０ｆの後端部を、分草リヤフレーム１０ｒの前端部に対して、回動支点軸１７回りに左右回動自在に支持する。
【００３１】
分草リヤフレーム１０ｒは、前記横支持フレーム９側に固定されて前方へ延伸するフレーム１１０と、このフレーム１１０の前端部に固定されて分草フロントフレーム１０ｆを回動自在に支持する支持部材１１１を備えている。
【００３２】
分草フロントフレーム１０ｆは、支持部材１１１に支持される被支持部材１２１と、この被支持部材１２１に固定されたフレーム１２０と、このフレーム１２０の前端部に設けられて右端の分草部材１１Ｒを支持する分草部材支持部１２２を備える。
【００３３】
支持部材１１１と被支持部材１２１に形成した同心上の穴に、円柱状のピンである回動支点軸１７を挿し通すことで、分草フロントフレーム１０ｆの後端部は、分草リヤフレーム１０ｒの前端部に対して左右方向に回動自在に支持される。
【００３４】
支持部材１１１は、分草リヤフレーム１０ｒの前端部に溶接で固定され、回動支点軸１７が挿し通される円筒状のボス１１１ａと、このボス１１１ａの内部に挿入される円筒状のブッシュ１１１ｂから構成する。なお、ボス１１１ａの円筒の軸心は、回動支点軸１７の軸心と同軸心である。
【００３５】
図１２、図１３に示すように、被支持部材１２１は、回動支点軸１７が通される穴１２３ａ，１２４ａがそれぞれ形成された上プレート（プレート）１２３及び下プレート１２４と、この上プレート１２３と下プレート１２４を連結するとともにフレーム１２０の後端部を溶接した連結プレート１２５を有する。なお、上プレート１２３と下プレート１２４とは、支持部材１１１のボス１１１ａの上下方向の幅と略同じか、それよりも広い間隔を隔てて連結プレート１２５に溶接で固定する。
【００３６】
この構成により、被支持部材１２１の上プレート１２３と下プレート１２４の上下方向の間隔部に、支持部材１１１のボスを挿入して、ボス１１１ａの軸心と上プレート１２３及び下プレート１２４の穴１２３ａ，１２４ａの軸心を一致させ、これらに回動支点軸１７を挿し通すことで、分草フロントフレーム１０ｆを、回動支点軸１７回りに左右回動自在な状態で、分草リヤフレーム１０ｒに支持する。
【００３７】
この構成により、右端の分草部材１１Ｒは、分草フロントフレーム１０ｆが回動支点軸１７回りに左右回動することにより、この右端の分草部材１１Ｒの先端部（前端部）が回動支点軸１７よりも刈幅方向で内側（左側）に位置する閉状態と、先端部が回動支点軸１７よりも刈幅方向で外側（右側）に位置する開状態に切り替えることができる。なお、左端の分草部材１１Ｌも、この右端の分草部材１１Ｒと同様に左右回動自在な構成としてもよい。
（分草部材の回動規制構造）
図４、図５、図８〜図１３に示すように、回動支点軸１７の近傍の部位、すなわち分草フロントフレーム１０ｆの後端部と分草リヤフレーム１０ｒの前端部の間には、分草フロントフレーム１０ｆの左右回動角度範囲を規制することによって、分草部材１１Ｒの設定範囲外への左右回動を規制する回動規制手段２４を備える。回動規制手段２４は、分草リヤフレーム１０ｒ側に設けられた規制部１３５と、分草フロントフレーム１０ｆに設けられた被規制部１３６から構成する。これによって、右端の分草部材１１Ｒの過度の左右回動が規制され、分草部材１１Ｒおよび分草フロントフレーム１０ｆによる穀稈の押し倒しを防止することができる。
【００３８】
分草リヤフレーム１０ｒには、穀稈引起装置１２の下部を支持する引起し支持パイプ（引起装置支持部材）２５を立ち上げ、この引起し支持パイプ２５の下部を、規制部１３５とする。
【００３９】
図１２に示すように、被規制部１３６は、上プレート１２３の後縁部に形成された係合凹部１２３ｄを有する。この係合凹部１２３ｄは、上プレート１２３における穴１２３ａが形成された部分である基部１２３ｂから２つの突起１２３ｃを後方へ突出させ、この２つの突起１２３ｃの間に、半円形状に凹んだ部として形成する。
【００４０】
この構成により、右端の分草部材１１Ｒが刈幅方向で内側（左側）に回動して閉状態となると、２つの突起１２３ｃのうちの左側の突起１２３ｃが、引起し支持パイプ２５の下部の規制部１３５と接触し、右端の分草部材１１Ｒが閉状態よりも左側へ回動することを規制する。同様に、右端の分草部材１１Ｒが刈幅方向で外側（右側）に回動して開状態となると、２つの突起１２３ｃのうちの右側の突起１２３ｃが、引起し支持パイプ２５の下部の規制部１３５と接触し、右端の分草部材１１Ｒが開状態よりも右側へ回動することを規制する。
（分草フロントフレーム）
図１２、図１３に示すように、分草フロントフレーム１０ｆのフレーム１２０は、被支持部材１２１の連結フレーム１２５から前方かつ下方へ向って延伸する第１フレーム部１２０ａと、この第１フレーム部１２０ａの前端部に連なって、前方かつ右方へ延伸する第２フレーム部１２０ｂを有し、第２フレーム部１２０ｂの前端部に、分草部材支持部１２２が溶接等の手段により固定する。
（分草ガイド杆）
図１２、図１３に示すように、右端の分草部材１１Ｒの後側には、分草部材１１Ｒにより非刈取対象穀稈（分草部材１１Ｒよりも刈幅の外側へ案内された穀稈）を回動支点軸１７よりも外側方へ案内する分草ガイド杆（穀稈案内部材）２１を備える。分草ガイド杆２１は、その前端部を、分草部材支持部１２２に対して溶接によって一体に取り付け、その後端部を、被支持部材１２１に対して溶接によって一体に取り付ける。従って、分草ガイド杆２１は、分草フロントフレーム１０ｆが回動支点軸１７回りに回動したときに、分草フロントフレーム１０ｆ及び分草部材１１Ｒと共に回動支点軸１７回りに左右回動する。
【００４１】
分草ガイド杆２１の前端部は、分草部材支持部１２２における第２フレーム部１２０ｂの前端部と連結されている部分よりも前方側の部位に、溶接により固定する。また、分草ガイド杆２１の後端部は、被支持部材１２１の連結プレート１２５と一体の側方延伸部１２５ａの外側端部に、溶接により固定する。すなわち、分草ガイド杆２１は、分草部材支持部１２２（第２フレーム１０ｆの前端部）と分草フロントフレーム１０ｆの後端部を連結することにより、分草フロントフレーム１０ｆの剛性を高めている。
【００４２】
分草ガイド杆２１は丸棒状の部材であり、平面視において、前部から後部へ向うほど分草フロントフレーム１０ｆから離れるように傾斜した姿勢であり、側面視においては、第１フレーム部１２０ａと平行な姿勢で設けている。
【００４３】
また、分草ガイド杆２１は、その前端部を、第２フレーム部１２０ｂの前端部よりも高い位置に配置し、後端部を、第１フレーム部１２０ａの後端部よりも高い位置に配置している。
（操作レバーと分草部材の連繋構造）
分草部材１１Ｒを開状態と閉状態に切替操作する操作レバー２６は、運転操作部における運転席５の左側に配置する。
【００４４】
この操作レバー２６と右端の分草部材１１Ｒは、作動ワイヤ１９により連繋する。また、分草部材１１Ｒが閉状態となる側へ付勢するリターンスプリング１４０を設ける。
【００４５】
操作レバー２６の前後一方側への操作によって作動ワイヤ１９が引かれると、リターンスプリング１４０の付勢力に抗して分草部材１１Ｒが右方向（開状態となる方向）へ回動し、操作レバー２６の前後他方側への操作により作動ワイヤ１９が緩むと、リターンスプリング１４０の付勢力によって、分草部材１１Ｒは左方向（閉状態となる方向）へ回動する。
【００４６】
作動ワイヤ１９を被覆するワイヤアウター１９ｂの前端部は、分草リヤフレーム１０ｒに設けられたステー１１２に取り付ける。
【００４７】
ワイヤ１９ａの分草部材１１Ｒ側の端部は、連結プレート１２５の側方延伸部１２５ａにスプリング２０を介して取り付ける。作動ワイヤ１９は、分草リヤフレーム１０ｒのフレーム１１０に沿って、フレーム１１０の外側に配策する。また、ステー１１２は、フレーム１１０の前後方向での中間部において、フレーム１１０の外側（右側）に溶接して設ける。
【００４８】
また、リターンスプリング１４０の後端部を、分草リヤフレーム１０ｒの後部に溶接されたステー１１３に取り付け、リターンスプリング１４０の前端部は、連結プレート１２５における回動支点軸よりも左側に延設されたステー１２５ｂに取り付ける。すなわち、リターンスプリング１４０は、分草リヤフレーム１０ｒの内側（左側）に配置する。
（分草部材の開閉状態）
図１０に示すように、右端の分草部材１１Ｒの先端部が刈幅方向の内側へ左回動して閉状態となると、分草部材１１Ｒの先端部は、刈幅方向で回動支点軸１７よりも内側に位置する。この状態では、分草部材１１Ｒ全体が回動支点軸よりも刈幅方向で内側に位置すると共に、分草部材１１Ｒの外側縁（右側縁）は、機体の前後方向に沿い、分草部材１１Ｒの内側縁（左側縁）は、機体の前後方向を基準として、後方の部位ほど刈幅方向の内側に位置するように傾斜する。
【００４９】
また、この分草部材１１Ｒの閉状態において、分草フロントフレーム１０ｆの第１フレーム部１２０ａは、機体の前後方向を基準として、前方の部位ほど刈幅方向の内側に位置するように傾斜し、第２フレーム部１２０ｂは、機体の前後方向に沿う姿勢となる。
【００５０】
また、分草部材１１Ｒの閉状態において、分草ガイド杆２１は、回動支点軸１７よりも刈幅方向の内側から外側に亘って、回動支点軸１７の前方に延在する状態となる。すなわち、分草ガイド杆２１の前端部は回動支点軸１７よりも刈幅方向の内側に位置し、分草ガイド杆２１の後端部は回動支点軸１７よりも刈幅方向の外側に位置する。また、分草ガイド杆２１の後端部は、作動ワイヤ１９及びスプリング２０よりも刈幅方向の外側に位置する。
【００５１】
従って、分草部材１１Ｒの閉状態では、分草部材１１Ｒ全体を回動支点軸１７よりも刈幅方向の内側に位置させて分草部材１１Ｒの内側への移動量を大きく設定しつつも、分草ガイド杆２１により回動支点軸１７及び作動ワイヤ１９近傍への穀稈の干渉（引っ掛かりや絡み付き）を効果的に抑制している。
【００５２】
一方、図９に示すように、右端の分草部材１１Ｒの先端部が刈幅方向の外側へ回動して開状態となると、分草部材１１Ｒの先端部は、刈幅方向で回動支点軸１７よりも外側に位置する。この状態では、分草部材１１Ｒの一部が回動支点軸１７よりも刈幅方向の内側に位置する。また、分草部材１１Ｒの外側縁（右側縁）及び内側縁（左側縁）は、機体の前後方向を基準として、後方の部位ほど刈幅方向の内側に位置するように傾斜する。また、分草部材１１Ｒの外側縁は、その全長の殆どが、回動支点軸１７に対して刈幅方向の外側に位置し、分草部材１１Ｒの内側縁は、その全長の略半分が回動支点軸１７に対して刈幅方向の内側に位置する。
【００５３】
また、分草部材１１Ｒの開状態において、分草フロントフレーム１０ｆの第１フレーム部１２０ａは、機体の前後方向に沿う姿勢となり、第２フレーム部１２０ｂは、機体の前後方向を基準として、前方の部位ほど刈幅方向の外側に位置するように傾斜する。
【００５４】
また、分草部材１１Ｒの開状態において、分草ガイド杆２１は、その全体が回動支点軸１７よりも刈幅方向の外側に位置するとともに、回動支点軸１７に対して刈幅方向の外側にずれた位置で、機体の前後方向に沿う姿勢となる。また、分草ガイド杆２１の後端部は、作動ワイヤ１９及びスプリング２０よりも刈幅方向の外側に位置する。
【００５５】
分草部材１１Ｒの開状態では、分草部材１１Ｒが後方の部位ほど刈幅方向の内側に位置するように傾斜する姿勢となり、コンバインの刈取作業中に、圃場に植生する穀稈や圃場面から、分草部材１１Ｒに機体の前方から後方へ向う力が作用する。そのため、第２フレーム１２０ｂの前端部と分草部材支持部１２２との連結部に大きな力がかかるが、機体の前後方向に沿う姿勢の第１フレー部１２０ａ及び分草ガイド杆２１によってこの力を受け止め、分草フロントフレーム１０ｆや分草部支持部１２２の破損が防止される。
【００５６】
以上の構成により、右端の分草部材１１Ｒを閉状態とすると、右端の分草部材１１Ｒとこれに隣り合う中分草部材１１ｃとの間の導入経路の幅内に１条分の穀稈が導入される。
【００５７】
また、右端の分草部材１１Ｒを開状態とすると、右端の分草部材１１Ｒとこれに隣り合う中分草部材１１ｃとの間の導入経路の幅内に２条分の穀稈が導入される。
（分草案内棒）
図１４、図１５に示すように、右端の分草部材１１Ｒの上面から右端の穀稈引起装置１２Ｒ（請求項における穀稈引起装置１２）の上部前面にわたって、後上がりに傾斜する分草案内棒２００を設ける。
【００５８】
この分草案内棒２００は、その長手方向の回転軸心となる回転軸２０１と、この回転軸２０１の外側を被覆するように設けた円筒状の回転筒２０２から構成される。
【００５９】
回転軸２０１の下端部は、分草部材１１Ｒの前後方向中央部に形成された穴を貫通し、この分草部材１１Ｒの下面側に姿勢変更自在に融通支持した軸受２０３に軸受けされる。
【００６０】
回転軸２０１の上端部は、穀稈引起装置１２Ｒの上部前面側に取り付けた軸受２０４に対して、ブーツ２０５で被覆されたユニバーサルジョイント２０６を介して軸受けされる。
【００６１】
この構成により、分草案内棒２００は、この分草案内棒２００自体で分草される穀稈との接触によって、回転軸２０１を中心に回転する。これによって、穀稈に与える負荷が減少し、穀稈の引きちぎりが減少し、穀稈を穀稈引起装置１２Ｒへ円滑に案内して、引き起こすことができる。
（分草案内杆）
図１６、図１７に示すように、後上がりに傾斜した右端の分草部材１１Ｒの前部上面から、この右端の分草部材１１Ｒの後部背面にわたる分草案内杆２０７を設ける。
【００６２】
この分草案内杆２０７は、図１７に示すように、逆Ｕ字形状に屈曲された棒状の部材である。
【００６３】
この分草案内杆２０７の前側端部は、分草部材１１Ｒの前部に形成された孔を貫通し、この分草部材１１Ｒの下面側に固定したブラケット２０８に回動自在に支持される。
【００６４】
この分草案内杆２０７の後側端部は、分草部材１１Ｒの後端部（上端部）を上側から迂回し、この分草部材１１Ｒの背面に至り、この分草部材１１Ｒの背面側に固定したブラケット２０９に回動自在に支持される。
【００６５】
この構成により、分草案内杆２０７を穀稈の倒伏方向に応じて回動調節し、穀稈を穀稈引起装置１２Ｒへ円滑に案内して、引き起こすことができる。
【符号の説明】
【００６６】
１    走行車体
３    脱穀装置
４    刈取装置
１０    分草フレーム
１０ｆ  分草フロントフレーム（第２フレーム）
１０ｒ  分草リヤフレーム（第１フレーム）
１１    分草部材
１１    分草部材
１２    穀稈引起装置
１７    回動支点軸
２１    分草ガイド杆（穀稈案内部材）
２４    回動規制手段
２５    引起し支持パイプ（引起装置支持部材）
１２３    上プレート（プレート）
２００    分草案内棒
２０７    分草案内杆
【図１】
2016140250.tif 000003
【図２】
2016140250.tif 000004
【図３】
2016140250.tif 000005
【図４】
2016140250.tif 000006
【図５】
2016140250.tif 000007
【図６】
2016140250.tif 000008
【図７】
2016140250.tif 000009
【図８】
2016140250.tif 000010
【図９】
2016140250.tif 000011
【図１０】
2016140250.tif 000012
【図１１】
2016140250.tif 000013
【図１２】
2016140250.tif 000014
【図１３】
2016140250.tif 000015
【図１４】
2016140250.tif 000016
【図１５】
2016140250.tif 000017
【図１６】
2016140250.tif 000018
【図１７】
2016140250.tif 000019